(57)【要約】【課題】グリップ部とセンサー部との構成を改善して、ユーザの手を構成する色々な関節に無理を与えず、かつゲームや作業中にコンピュータ画面上のカーソルの位置を速く移動させうるコンピュータ用マウスを提供することを目的とする。【解決手段】マウスが置かれて使われる面に対して立てられたグリップ部と、このようなグリップ部から前方に向けて離隔されたセンサーを備えるセンサー部と、を備えてなるが、グリップ部は、その上下方向の中心軸が左右側のうち一側方向に傾き、そして、左右側のうち他側方向に移動配置されて、グリップ部の中心軸の中央部の仮想の鉛直下部地点の前方にセンサーが位置するように構成されたことを特徴とするコンピュータ用マウスである。【選択図】図１
2009003914.tif 000002
【特許請求の範囲】
【請求項１】
コンピュータ用マウスにおいて、
平坦な底部と長手方向の中心軸とを有し、前記マウスが置かれて使われる平坦な使用面に立てられるグリップ部と、
前記グリップ部の長手方向の中心軸の中央に位置したグリップ中央部と、
前記平坦な底部に対して垂直であり、前記グリップ中央部を備える垂直軸と、
前記グリップ部から前方に離隔されて位置するセンサーを含むセンサー部と、
前記垂直軸と前記センサーの中心とを含む垂直面と、
前記垂直軸と前記グリップ部の平坦な底部とが交差する鉛直下部地点と、を備えて形成され、
前記長手方向の中心軸は、前記垂直軸と角をなし、前記垂直面に対して左側あるいは右側に傾いており、
前記鉛直下部地点は、前記底面の実質的な中心に位置することを特徴とするコンピュータ用マウス。
【請求項２】
前記グリップ部は、ユーザが前記グリップ部を握ったとき、そのユーザの親指を支える位置に親指支持部をさらに備えることを特徴とする請求項１に記載のコンピュータ用マウス。
【請求項３】
前記グリップ部は、ユーザが前記グリップ部を握ったとき、そのユーザの手の片端が、前記マウスが置かれて使われる面に密着されるように構成され、小指を支える位置に小指支持部をさらに備えることを特徴とする請求項１に記載のコンピュータ用マウス。
【請求項４】
前記小指支持部は、ユーザが前記グリップ部を握ったとき、そのユーザの薬指を支えるように、その上部に薬指支持部をさらに備えることを特徴とする請求項３に記載のコンピュータ用マウス。
【請求項５】
前記グリップ部と前記センサー部とは、前記グリップ部から前方下向きに延びて前記センサー部に連結された連結部によって相互結合されたことを特徴とする請求項１に記載のコンピュータ用マウス。
【請求項６】
前記センサー部は、前記グリップ部との距離が調節できるように前記グリップ部に連結されていることを特徴とする請求項１に記載のコンピュータ用マウス。
【請求項７】
前記センサー部は、前記グリップ部に連結されるが、前記グリップ部との連結地点を中心軸に回転自在に連結されたことを特徴とする請求項１に記載のコンピュータ用マウス。
【請求項８】
前記グリップ部は、ユーザが前記グリップ部を握ったとき、そのユーザの手の平に対面する部分に凸状に突設された凸部を備えることを特徴とする請求項１に記載のコンピュータ用マウス。
【請求項９】
前記コンピュータ用マウスには、コンピュータに連結される連結線が備えられるが、前記連結線は、前記センサー部の他側に向かう側面から延びるように備えられたことを特徴とする請求項１に記載のコンピュータ用マウス。
【請求項１０】
前記センサー部は、ユーザが前記グリップ部を握った状態で、そのユーザの人差し指あるいは中指を使用して調節できる位置に、コンピュータ画面の解像度を調節できる解像度調節ボタンをさらに備えることを特徴とすることを特徴とする請求項１に記載のコンピュータ用マウス。
【請求項１１】
前記グリップ部は、ユーザが前記グリップ部を握った状態でそのユーザの親指を使用して調節できる位置に、コンピュータ画面の前後転換のためのフォワードボタン及びバックワードボタンをさらに備えることを特徴とすることを特徴とする請求項１に記載のコンピュータ用マウス。
【請求項１２】
前記センサー部には、グリップ部に向けて風を起こす冷却ファンが備えられていることを特徴とする請求項１に記載のコンピュータ用マウス。
【請求項１３】
前記グリップ部の上下方向の中心軸は、前方に向けて所定角度傾いていることを特徴とする請求項１に記載のコンピュータ用マウス。
【請求項１４】
前記グリップ部は、ユーザが前記グリップ部を握った状態で、そのユーザの人差し指と中指とを使用して操作できるそれぞれの位置に選択ボタンとメニューボタンとを備えることを特徴とする請求項１に記載のコンピュータ用マウス。
【請求項１５】
前記グリップ部は、その下部に着脱可能なウェートを備えることを特徴とする請求項１に記載のコンピュータ用マウス。
【請求項１６】
前記センサー部は、前方に向けて光を照射する発光装置を備えることを特徴とする請求項１に記載のコンピュータ用マウス。
【発明の詳細な説明】
【技術分野】
【０００１】
本発明は、コンピュータ用マウスに係り、さらに詳細には、手首の無理を最小化しつつも画面上のカーソル位置を速く移動させうるようにグリップ部及びセンサー部を構成したコンピュータ用マウスに関する。
【背景技術】
【０００２】
一般的に、マウスとは、コンピュータの入力手段であって、ゲームや作業中画面上のカーソルを移動させる作用を行うものである。このために公知のマウスは、その下面の中央部にボールまたは光センサーからなるセンサーが備えられており、その上部前方には、左・右側ボタンあるいは選択ボタンやメニューボタンと称すボタンが備えられている。また、選択ボタンとメニューボタンとの間にはコンピュータ画面をスクロールできるホイールが備えられている。
【０００３】
ユーザは、このような通常のマウスを手でとり、その下面を底面に密着させて使用する。すなわち、手の平がマウスの上面に密着された状態で人差し指及び中指を利用して、左・右ボタンを押し、人差し指を利用してホイールを回して使用する。
【０００４】
しかし、前記のように構成された従来のマウスは、マウスの下面中央にセンシング手段が備えられていて、手の移動と同一方向にセンサーが動くように構成されている。したがって、センサーの移動速度が遅く、これにより、ゲームや作業中に画面上のカーソル位置を速く移動できないという問題点があった。
【０００５】
また、コンピュータ画面上でカーソルを左右に動かすためには、マウスを手の平が下部に向かうように握った状態で手首を左右に振り動かしつつ、マウスを移動させねばならないため、手首の関節や周辺筋肉に無理を与えるという問題点があった。
【０００６】
そして、ユーザは親指、薬指及び小指を利用してマウスを握って使用するが、それらの指の位置が不自然であるので、マウスを長時間使用する場合には、各指の関節に無理を与えるという問題点もあった。
【発明の開示】
【発明が解決しようとする課題】
【０００７】
本発明は、前記問題点を解決するためのものであって、グリップ部とセンサー部との構成を改善して、ユーザの手を構成する色々な関節に無理を与えず、かつゲームや作業中にコンピュータ画面上のカーソルの位置を速く移動させうるコンピュータ用マウスを提供することを目的とする。
【課題を解決するための手段】
【０００８】
前記目的を達成するために本発明によるコンピュータ用マウスは、コンピュータの入力手段として使われるコンピュータ用マウスにおいて、平坦な底部と長手方向の中心軸とを有し、前記マウスが置かれて使われる平坦な使用面に立てられるグリップ部と、前記グリップ部の長手方向の中心軸の中央に位置したグリップ中央部と、前記平坦な底部に対して垂直であり、前記グリップ中央部を備える垂直軸と、前記グリップ部から前方に離隔されて位置するセンサーを含むセンサー部と、前記垂直軸と前記センサーの中心とを含む垂直面と、前記垂直軸と前記グリップ部の平坦な底部とが交差する鉛直下部地点と、を備えてなり、前記長手方向の中心軸は、前記垂直軸と角をなし、前記垂直面に対して左側あるいは右側に傾いており、前記鉛直下部地点は、前記底面の実質的な中心に位置することを特徴とする。
【０００９】
一方、前記グリップ部は、ユーザが前記グリップ部を握ったとき、そのユーザの親指を支える位置に親指支持部をさらに備えることが望ましい。
【００１０】
一方、前記グリップ部は、ユーザが前記グリップ部を握ったとき、そのユーザの手の片端が、前記マウスが置かれて使われる面に密着されるように構成され、小指を支える位置に小指支持部をさらに備えることが望ましい。
【００１１】
また、前記小指支持部は、ユーザが前記グリップ部を握ったとき、そのユーザの薬指を支えるように、その上部に薬指支持部をさらに備えることが望ましい。
【００１２】
そして、前記グリップ部と前記センサー部とは、前記グリップ部から前方に突出して下向きに延長されて、前記センサー部に連結された連結部によって相互結合されたことが望ましい。
【００１３】
一方、前記センサー部は、前記グリップ部との距離が調節できるように前記グリップ部に連結されていることが望ましい。
【００１４】
一方、前記センサー部は、前記グリップ部に連結されるが、前記グリップ部との連結地点を中心軸に回転自在に連結されたことが望ましい。
【００１５】
一方、前記グリップ部は、ユーザが前記グリップ部を握ったとき、そのユーザの手の平に対面する部分に凸状に突設された凸部を備えることが望ましい。
【００１６】
そして、前記コンピュータ用マウスには、コンピュータに連結される連結線が備えられるが、前記連結線は、前記センサー部の他側に向かう側面から延びるように備えられたことが望ましい。
【００１７】
一方、前記センサー部は、ユーザが前記グリップ部を握った状態で、そのユーザの人差し指あるいは中指を使用して調節できる位置に、コンピュータ画面の解像度を調節できる解像度調節ボタンをさらに備えることが望ましい。
【００１８】
また、前記グリップ部は、ユーザが前記グリップ部を握った状態で、そのユーザの親指を使用して調節できる位置に、コンピュータ画面の前後転換のためのフォワードボタン及びバックワードボタンをさらに備えることが望ましい。
【００１９】
一方、前記センサー部には、グリップ部に向けて風を起こす冷却ファンがさらに備えられることが望ましい。
【００２０】
そして、前記グリップ部の上下方向の中心軸は、前方に向けて所定角度傾いていることが望ましい。
【発明の効果】
【００２１】
本発明によるコンピュータ用マウスによれば、ユーザは、小さい動きでセンサーを速くて正確に動かせるだけでなく、手首や腕に疲労を感じずに、長時間使用することが可能である。
【発明を実施するための最良の形態】
【００２２】
以下、本発明による望ましい実施例を添付された図面を参照して詳細に説明する。
【００２３】
図１は、本発明による一実施例のコンピュータ用マウス１を左側後方から見た図面が示されており、図２及び図３は、それぞれコンピュータ用マウス１を後方から見た図面と右側から見た図面とであり、図４は、コンピュータ用マウス１の背面図である。一方、図５及び図６は、それぞれ図１のコンピュータ用マウス１を右側後方から見た図面と左側前方から見た図面である。
【００２４】
コンピュータ用マウス１は、コンピュータの入力手段として使われる道具であって、グリップ部１０、センサー部２０、連結部３０及び連結線４０を備えてなる。
【００２５】
グリップ部１０は、コンピュータ用マウス１が置かれて使われる使用面１０２（図２参照）に対して立てられて使われる。マウス１のユーザは、マウス１のグリップ部１０を手で握って使用する。
【００２６】
グリップ部１０は、その長手方向に貫通する仮想の中心軸１０４が左右側のうち一側方向に傾いている。すなわち、長手方向の中心軸１０４は、垂直軸１０５と角をなし、垂直面に対して左側あるいは右側に傾いている。ここで、垂直面は、垂直軸１０５とセンサー２２の中心とを含む面を指す。
【００２７】
本実施例のマウスは、右利きの人のためのものであり、この場合、中心軸１０４は、図２に示したように、前方を眺めた状態で左側に所定角度θ１だけ傾いている。所定角度θ１は、使用面１０２と中心軸１０４とがなす角度であって、人体工学及びユーザの便利さを考慮する時に、４５°以上９０°未満になっていることが望ましい。一方、所定角度θ１は、さらに望ましくは７０°以上８０°以下である。本実施例の場合、７５°である。
【００２８】
そして、グリップ部１０は、その中心軸が傾いている程度によって、左右側のうち他側方向に移動配置されている。本実施例のグリップ部１０の中心軸１０４が左側に傾いているので、グリップ部１０は、その中心軸１０４が傾いた状態で、全体的に右側に移動している。
【００２９】
このとき、グリップ部１０が移動した距離は、中心軸１０４が傾いている程度を考慮して決定される。すなわち、中心軸１０４が傾いていれば移動距離が長く、相対的に小さく傾いていれば移動距離は短い。本実施例の場合、グリップ部１０の右側への移動距離は、中心軸１０の距離にＣＯＳ（θ１）を積算した値の約１／２である。
【００３０】
グリップ部１０が右側に移動して、中心軸１０４のグリップ中央部１０６の鉛直下部地点１０７の前方にセンサー２２が位置する。垂直軸１０５は、マウスの底面１１と垂直をなし、前記中央部を過ぎる軸である。
【００３１】
中心軸１０４のグリップ中央部１０６は、数学的に正確な中心を意味するものではなく、正確な中心を含む中心軸１０４の長さの約１／２となる部分を意味する。そして、中心軸１０４のグリップ中央部１０６から垂直に下向きに下がってグリップ部１０の底面１１と出合う地点が鉛直下部地点１０７である。図４を参照すれば、鉛直下部地点１０７から前方に向かう仮想の線が中央線１０８である。センサー２２は、実質的に中央線１０８上に位置する。
【００３２】
一方、鉛直下部地点１０７の前方にセンサー２２が位置することにおいて、本明細書で“前方”の意味は、左右に向かう仮想の線に対して実質的に垂直であって前側に向かう方向を意味する。
【００３３】
グリップ部１０の中心軸１０４が左側に傾いているが、グリップ部１０を、中心軸１０４が傾いた程度に比例して全体的に右側に移動し、その中心軸１０４のグリップ中央部１０６の仮想の鉛直下部地点１０７の前方にセンサー２２が位置するように構成したため、グリップ部１０を握ったユーザは、自身の手の中心の前方に位置したセンサー２２に正確にカーソルを調整できる。
【００３４】
もし、グリップ部が右側に移動せず、中心軸のみが左側に傾いているならば、センサーがグリップ部の中心部の鉛直下部地点の前方に位置せず、中央線の左側に位置するので、すなわち、センサーがグリップ部を握ったユーザの手の中心の前方に位置しないので、ユーザは、マウスのセンサーを利用してコンピュータ画面上のカーソル位置を移動させることに不便さを感じる。
【００３５】
一方、中心軸１０４が左側に傾くように構成した理由は、次の通りである。人間が手を机の上に自然に乗せ、手の平側に空いている空間が生じるように軽く手を握れば、握った手に生じた仮想の空間は、ほぼ円柱形状になるが、この円柱の上方の中心軸は、左側に若干傾いている形状となる。したがって、本発明のマウスのグリップ部１０も、ユーザがグリップ部１０を握って長時間使用しても、手首の関節や筋肉に無理を与えないように、人体の形状のように、グリップ部１０の中心軸１０４が左側に傾くように構成したものである。
【００３６】
このとき、グリップ部１０の中心軸１０４の定義は、幾何学的な側面でグリップ部１０の中心軸を意味するものではなく、前述したように、ユーザがグリップ部１０を握ったとき、その手は、内部にある円柱形状の仮想の空間の中心を通過する線とほぼ一致する線を意味する。
【００３７】
上述した実施例は、右利きの人のためのマウスであるので、左利きの人のためのマウスの場合には、本実施例のマウスと左右対称をなすように構成すればよい。以下、同様である。
【００３８】
一方、本実施例のコンピュータ用マウス１は、図３を参照すれば、その中心軸１０４が前方に向けて所定角度θ２だけ傾いている。所定角度θ２は、５０°以上９０°未満が望ましく、本実施例の場合には、６５°となっている。グリップ部１０が前方に所定角度θ２だけ傾いているのは、ユーザがグリップ部１０を握ったとき、手を自然な位置にするためである。すなわち、前述したように、ほとんどのユーザの握った手に生じた仮想の空間の中心を過ぎる線が前方に傾いているため、本発明のマウス１のグリップ部１０も、その中心軸１０４が所定角度θ２だけ傾いているように構成されたものである。所定角度θ２は、前記提示された範囲より小さいか、または大きくなれば、手の位置が不自然になるため望ましくない。
【００３９】
一方、本実施例のマウス１のグリップ部１０は、親指支持部１２をさらに備える。
【００４０】
親指支持部１２は、ユーザがグリップ部１０を握ったとき、そのユーザの親指を支える部分に位置する。したがって、親指支持部１２は、グリップ部１０の高さの中間地点に位置し、ユーザが親指を容易に載せられる。
【００４１】
そして、本実施例の場合、親指支持部１２には、ユーザがコンピュータ画面のスクロール動作を行えるホイールボタン１２２がさらに備えられている。ユーザは、親指を利用して、ホイールボタン１２２を操作する。ホイールボタン１２２は、‘ホイール’とも称す。
【００４２】
一方、グリップ部１０は、ユーザがグリップ部１０を握ったとき、ユーザの手の片端がマウスが置かれて使われる面に密着されるように構成される。すなわち、グリップ部１０は、その全体的な高さが、ユーザがグリップ部１０を握った状態で手の片端が使用面１０２に密着されるように構成される。手の片端が使用面１０２に密着されていなければ、マウスを操作するユーザは、手首、腕などに容易に疲労を感じるだけでなく、マウスの精密な移動にも困難さを感じる。
【００４３】
グリップ部１０は、小指支持部１４を備える。小指支持部１４は、ユーザがグリップ部１０を握ったとき、ユーザの小指を支える位置に備えられる。小指支持部１４は、薄板形状を有する。小指支持部１４の上部には、ユーザの薬指を支える薬指支持部１４２がさらに備えられている。図５及び図６には、小指支持部１４と薬指支持部１４２とがよく示されている。
【００４４】
薬指支持部１４２は、薬指を支える役割を行うだけでなく、ユーザの薬指と小指とが相互に重畳されないようにする役割も行う。薬指支持部１４２によって、ユーザは、マウスを長時間使用しても、小指と薬指との間に汗をかく不便さを感じない。
【００４５】
グリップ部１０は、凸部１６を備える。凸部１６は、ユーザがグリップ部１０を握ったとき、そのユーザの手の平に対面する部分に凸状に突設された部分である。図２を参照すれば、凸部１６は、グリップ部１０の右側面に形成され、右側面がその中央部分を中心にあたかも丘のように隆起された形状を有する。凸部１６は、傾いたグリップ部１０を握ったユーザの手の平を支持する。したがって、凸部１６によって、グリップ部１０を握ったユーザは安定感を感じる。
【００４６】
一方、本実施例のマウス１は、ユーザによって楽な感じを与えるために凸部１６の上部に凹状に入り込んだ陥没部１６２を備える。そして、図１や図３によく示されたように、グリップ部１０の上部には、親指がグリップ部１０を楽に握るように、凹状に入り込んだ凹部１６４が形成されている。
【００４７】
グリップ部１０は、ユーザがグリップ部１０を握った状態で、ユーザがその親指を使用して調節できる位置に、コンピュータ画面の前後転換のためのフォワードボタン１７及びバックワードボタン１７２をさらに備える。特に、ユーザがインターネットを利用するとき、視聴中である画面の前の画面あるいは次の画面に転換しようとするとき、このボタン１７、１７２を利用すれば便利である。
【００４８】
また、グリップ部１０は、ユーザがグリップ部１０を握った状態で、その人差し指で操作できる位置に選択ボタン１８を備え、中指を使用して操作できる位置にメニューボタン１８２を備える。
【００４９】
選択ボタン１８は、クリックボタンとも称し、通常のマウスの上部左側に位置したボタンと同じ機能を行い、メニューボタン１８２は、通常のマウスの上部右側に位置したボタンと同じ機能を行う。
【００５０】
本実施例のマウス１は、図４を参照すれば、グリップ部１０の下部に着脱可能なウェート１９を備える。ウェート１９は、グリップ部１０の重さ中心を下側に位置させる。ウェート１９は、グリップ部１０の底面１１に鉛直下部地点１０７を中心に装着されることが望ましい。ウェート１９は、ネジのような固定部材１９２を利用してグリップ部１０の下端部に固定する。ウェート１９は、ユーザの趣向や必要に応じてその重さを異ならせたものが使われる。
【００５１】
センサー部２０は、グリップ部１０から前方に向けて離隔されたセンサー２２を備える。センサー２２は、図４を参照すれば、センサー部２０の底部２１の中央部に備えられ、マウスが置かれて使われる使用面１０２に密着されている。センサー２２は、本実施例の場合、光センサーからなっているが、ボールセンサーでも備えられる。
【００５２】
センサー２２がグリップ部１０の中心軸１０４のグリップ中央部１０６の鉛直下部地点１０７と離隔されているため、グリップ部１０を、鉛直下部地点１０７を中心に回転させれば、それから離隔された所に位置したセンサー２２は、相対的に大きく動く。すなわち、ユーザがグリップ部１０を握って若干回転させても、センサー２２は、大きく動く。
【００５３】
ユーザは、グリップ部１０を前後方及び左右側に動かすと共に、グリップ部１０を、鉛直下部地点１０７を中心に適切に回転させれば、従来マウスを使用するより相対的に非常に少ない動きでセンサー２２を速くて便利に動かせる。また、前述したように、センサー２２は、鉛直下部地点１０７の前方に位置する。すなわち、図４に示したように、センサー２２は、中央線１０８上に位置する。
【００５４】
一方、本実施例のマウス１は、センサー部２０に解像度調節ボタン２４を備える。解像度調節ボタン２４は、コンピュータ画面の解像度を調節するボタンであって、ユーザがグリップ部を握った状態で、そのユーザの人差し指あるいは中指を使用して調節できるセンサー部２０の後方側面上の位置に備えられる。
【００５５】
連結部３０は、グリップ部１０とセンサー部２０とを相互結合させる。連結部３０は、その一側端部がグリップ部１０から前方に突出した後、下方に延長されて、その他側端部がセンサー部２０に連結される。また、本実施例の場合、連結部３０は、親指支持部１２から前に向けて突設されて、センサー部２０の左側に結合されている。
【００５６】
連結部３０の一側端部が他側端部より高く位置して、ユーザがグリップ部１０を握れば、ユーザの手の重さとユーザの力とが連結部を通じてセンサー部２０を加圧する。使用面１０２と接触するマウスの底部が、離隔された２ヶ所となって、ユーザは、安定した感じでマウス１を操作でき、センサー２２も底面にさらに密着する。
【００５７】
連結線４０は、図５を参照すれば、コンピュータ用マウス１の内部に位置した回路基板などの電気装置とコンピュータとを連結する電線である。連結線４０は、センサー部２０の他側に向かう側面から延びるように備えられている。すなわち、連結線４０は、センサー部２０の前方に向かう面とほぼ直角をなす左側の側面に備えられている。
【００５８】
従来の有線マウスは、前方に向かう面の中央下端部から延びた連結線を備えているが、本発明による一実施例のマウス１は、これとは異なり、側面から延びた連結線４０を備える。
【００５９】
ユーザは、通常、コンピュータ用マウス１を、机の上に置かれたキーボードよりユーザに近く位置させて使う場合が多い。しかし、このとき、マウスの連結線が前方に向かうように備えられていれば、キーボードと干渉が発生して不便になる。しかしながら、本発明の実施例のマウス１の場合には、右側に向かう側面に連結線が備えられており、キーボードとの干渉なしに使用することが可能である。特に、通常のマウスより前後方の長さが長く形成された本発明のマウス１の場合に、連結線４０が側面に備えられたものがさらに有用になる。
【００６０】
以下、本発明による一実施例のコンピュータ用マウス１の作用及び効果を説明する。
【００６１】
本発明のコンピュータ用マウス１は、グリップ部１０が立てられるが、一側に傾き、他側に移動されて、センサー２２がグリップ部１０の中心軸１０４の中央部１０６の鉛直下部地点１０７の前方に位置するように構成されており、ユーザがグリップ部１０を握って速くて正確にセンサー２２を移動させうる。
【００６２】
すなわち、コンピュータ用マウス１は、ユーザの腕、手首及び手の構造を考慮してグリップ部１０とセンサー２２とが構成されることにより、ユーザは、長時間不便なしにマウス１を使用することが可能である。
【００６３】
そして、本発明の一実施例によるコンピュータ用マウス１は、親指支持部１２と小指支持部１４及び薬指支持部１４２を備えており、ユーザが指の関節の不便さなしに安定したグリップ感を有してマウス１を長時間使用することが可能である。
【００６４】
また、本発明の一実施例によるコンピュータ用マウス１は、連結部３０によってグリップ部１０とセンサー部２０とが連結されていて、センサー２２が使用面１０２に密着されてユーザが安定感を感じる効果がある。
【００６５】
また、本発明の一実施例によるコンピュータ用マウス１は、グリップ部１０に凸部１６を備えており、グリップ部１０を握ったユーザの手の平の少なくとも一部分を支持しうる。特に、グリップ部１０が一側に傾いているため、他側面に形成された凸部は、ユーザの手の平部分を安定的に支持しうる。これにより、ユーザは、安定感を感じられ、長時間疲労感なしにマウスを使用することが可能である。
【００６６】
また、本発明の一実施例によるコンピュータ用マウス１は、ホイール１２２、フォワード／バックワードボタン１７、１７２及び選択／メニューボタン１８、１８２を、グリップ部１０を握ったユーザの各指の位置を考慮して備えているため、ユーザは、便利にそれぞれのボタンを操作することが可能である。
【００６７】
また、本発明の一実施例によるコンピュータ用マウス１は、連結線４０をセンサー部２０の右側面に備えていて、キーボードとの干渉なしにマウス１を使用することが可能である。
【００６８】
一方、本実施例の場合、フォワード／バックワードボタン１７、１７２、選択／メニューボタン１８、１８２、解像度調節ボタン２４がそれぞれ特定の機能を有すると説明したが、必要に応じて、あるいはコンピュータゲームプログラムの設定によって、前記ボタンにそれぞれ所望の他の機能を有させることも可能である。
【００６９】
一方、図７に、本発明による他の実施例のコンピュータ用マウス１ａが示されている。
【００７０】
図７に示したコンピュータ用マウス１ａは、上述した第１実施例のコンピュータ用マウス１と比較して、センサー部２０の位置が変更されるという構成が異なり、冷却ファン５０及び発光装置６０をさらに備えているという点が異なる。以下では、第１実施例と異なる構成についてのみ説明し、省略された残りの構成についての説明は、第１実施例のマウス１の説明が適切に適用される。
【００７１】
本実施例のコンピュータ用マウス１ａの場合、センサー部２０は、グリップ部１０との距離が調節できるようにグリップ部１０に連結されている。すなわち、センサー部２０に備えられたセンサー２２とグリップ部１０との距離が調節できるように、センサー部２０が連結部３０ａによってグリップ部１０に結合されている。
【００７２】
連結部３０ａは、図７を参照すれば、柱部３２ａ、結合部３４ａ、貫通部３６ａ及び固定部３８ａを備えてなる。一定断面を有する柱部３２ａは、貫通部３６ａに摺動可能に嵌め込まれる。柱部３２ａを所望の地点に位置させ、ネジ部材からなる固定部３８ａを締める。結果的に、センサー部２０とグリップ部１０との距離が調節される。
【００７３】
ユーザは、自身の手のサイズあるいは使用するプログラムやゲームの種類によって、センサー２２を備えたセンサー部２０とグリップ部１０との距離を調節することにより、グリップ部１０の動きによるセンサー２２の動き程度を調節できる。
【００７４】
一方、本実施例のコンピュータ用マウス１ａは、グリップ部１０に向けて風を起こす冷却ファン５０を備える。本実施例の場合、冷却ファン５０は、センサー部２０の上面一側に備えられ、ユーザの必要に応じて脱着可能に結合される。
【００７５】
ユーザ、特に、ゲームをするユーザがマウスのグリップ部１０を長時間握って操作すれば、手に熱が出て汗をかく。本実施例の冷却ファン５０は、このようなユーザの手の熱及び汗を冷やすために、風を起こして吹き込む。冷却ファン５０に必要な電源は、コンピュータから連結線４０を経て供給される電源を利用する。
【００７６】
一方、本実施例の場合、冷却ファン５０が外蔵型であってセンサー部２０の上部に備えられると例を挙げたが、本発明は、これに限定されない。冷却ファンは、図示していないが、センサー部に内蔵されることもある。すなわち、図８を参照すれば、センサー部２０の解像度調節ボタン２４のある後方側面に（解像度調節ボタン２４を他の位置に移動させるか、または除去した後）、グリップ部１０に向けて風を吹き込めるように冷却ファンを内蔵するように構成されることもある。
【００７７】
一方、本実施例のコンピュータ用マウス１ａは、センサー部２０の前方に向けて光を照射しうる発光装置６０を備える。発光装置６０は、ＬＥＤ（Ｌｉｇｈｔ Ｅｍｉｔｔｉｎｇ Ｄｉｏｄｅ）を利用するか、あるいはレーザ発生装置で構成する。発光装置６０によって発生する光は、直進性を有することが望ましい。一方、発光装置６０は、一般的に使われるレーザポインターに使われるレーザ発生装置を使用することも望ましい。
【００７８】
このような発光装置６０は、ゲームをするユーザにさらに大きい楽しみを与える効果がある。すなわち、ある目的地を照準する必要のあるゲームをするユーザは、発光装置６０から発生した光で、仮想的ではあるが、照準する感じを有する。
【００７９】
一方、図８に、本発明によるさらに他の実施例のコンピュータ用マウス１ｂが示されている。
【００８０】
図８に示したコンピュータ用マウス１ｂは、上述した第１実施例のコンピュータ用マウス１と比較して、センサー部２０がグリップ部１０に連結されるが、グリップ部１０との連結地点を中心軸に回転自在に連結されたところに特徴がある。
【００８１】
図８によく示されたように、センサー部２０は、連結部３０ｂの他側端部にヒンジ結合されている。ヒンジ結合された地点が連結地点３２ｂである。連結地点３２ｂに備えられた結合部材３４ｂを回転軸として、センサー部２０を所望の位置に回転させた後、結合部材３４ｂを固定する。
【００８２】
ユーザは、自身の必要に応じて、センサー部２０をグリップ部１０に対して所望の位置に回転させて固定しうる。本発明のマウス１ｂは、基本的にセンサーがグリップ部の中心軸の中央部の鉛直下部地点の前方に位置するが、ユーザは、センサーの位置を使用するプログラム、あるいは自身の身体的特性によって自身に最も適した位置に調節しうる。
【図面の簡単な説明】
【００８３】
【図１】本発明による実施例のコンピュータ用マウスを左側後方から見た斜視図である。
【図２】図１のコンピュータ用マウスを後方から見た図面である。
【図３】図１のコンピュータ用マウスを右側から見た図面である。
【図４】図１のコンピュータ用マウスの背面図である。
【図５】図１のコンピュータ用マウスを右側後方から見た斜視図である。
【図６】図１のコンピュータ用マウスを左側前方から見た斜視図である。
【図７】本発明による他の実施例のコンピュータ用マウスの斜視図である。
【図８】本発明によるさらに他の実施例のコンピュータ用マウスの斜視図である。
【図１】
2009003914.tif 000003
【図２】
2009003914.tif 000004
【図３】
2009003914.tif 000005
【図４】
2009003914.tif 000006
【図５】
2009003914.tif 000007
【図６】
2009003914.tif 000008
【図７】
2009003914.tif 000009
【図８】
2009003914.tif 000010